(57)【要約】【課題】交流電源に対する熱対策も容易で、設備価格を低減させることができるプラズマディスプレイパネルのエージング装置を提供する。【解決手段】コイルの替わりに電線２０ａ，２０ｂを長くして同等のインダクタンスを得るようにし、エージング用のパレット１８に、プラズマディスプレイパネル１５の電極に交流電源１４の出力電圧を印加するクランプ１６ａ，１６ｂと、交流電源１４とパレット１８とを電気的に接続するコンタクト１９ａ，１９ｂと、そのコンタクト１９ａ，１９ｂとクランプ１６ａ，１６ｂとを直接接続する電線２０ａ，２０ｂとを有せしめたものである。この構成により、交流電源１４とパレット１８とを分離でき、クランプ１６ａ，１６ｂ、コンタクト１９ａ，１９ｂ、電線２０ａ，２０ｂを一体で交換できる。【選択図】        図１
2005011774.tif 000002
【特許請求の範囲】
【請求項１】
プラズマディスプレイパネルの放電をつかさどる２つの電極に交流電圧を印加する交流電源を備えたプラズマディスプレイパネルのエージング装置であって、プラズマディスプレイパネルを載せエージングをかけるためのエージング用パレットに、プラズマディスプレイパネルの電極に前記交流電源の出力電圧を印加するクランプと、前記交流電源とパレットとを電気的に接続するコンタクトと、そのコンタクトと前記クランプとを直接接続する電線とを設けたプラズマディスプレイパネルのエージング装置。
【発明の詳細な説明】
【０００１】
【発明の属する技術分野】
本発明はプラズマディスプレイパネルのエージング装置に関する。
【０００２】
【従来の技術】
一般的なＡＣ型のプラズマディスプレイパネル（以降、ＰＤＰと言う）は、図２に示すような構造であり、この種のプラズマディスプレイパネルは、以下のような工程で製造される。
【０００３】
まず、互いに相対して対をなす表示電極１、２を一方のガラス基板３上に形成する。これらの表示電極１、２は、透明電極と、透明電極の電気抵抗による電圧低下を防ぐためのバス電極とからなる。これらの表示電極１、２を誘電体層４で被覆し、さらにＭｇＯ保護膜５で被覆する。これに対し、他方のガラス基板６にはストライプ状のアドレス電極７を形成する。アドレス電極７は誘電体層８により被覆し、また、アドレス電極７に隣接するようにリブ９を形成する。このリブ９は、アドレス放電時の隣接セルへの影響を断ち、光のクロストークを防ぐ働きがある。次に、それぞれのリブ９間に、赤、青、緑の蛍光体１０を、アドレス電極７を被覆するように塗り分ける。そして、ガラス基板３とガラス基板６とをギャップを保ちながら組み合わせ、封止ガラスにより周囲を密閉する。
【０００４】
その後、ガラス基板３、６に設けられた放電ガス通気口を通して、加熱しながらパネル内の真空排気を行う（排気工程）。この排気工程は、ＰＤＰ内部の密閉された放電空間中のリブ９、蛍光体１０、ＭｇＯ保護膜５等の表面に吸着している水分、炭化水素、酸素等を、加熱により脱離させて真空排気することによりＰＤＰ外部に除去する目的で行われる。真空工程では、予めパネルの温度を３００℃程度に上昇させた上で真空排気装置を用いて内部を真空にする。ＰＤＰ内部が十分な真空度となった後に、Ｎｅ等の不活性ガスを主体とする放電ガスを封入し（ガス封入工程）、放電ガス通気口を塞ぐ（封止工程）。
【０００５】
このようにして作製されたＰＤＰでは、前述の排気を十分に行ったとしても点灯の初期段階において内部より不純物が多く発生する。この不純物は放電空間内の放電ガスの純度を劣化させ、ＰＤＰの特性劣化の要因となるとともに動作を不安定とする原因となる。この不純物の発生を抑えるために所定の時間だけＰＤＰの全セルの点灯を行うエージングを実施する（エージング工程）。エージングによって放電領域から放出された不純物は放電領域外に拡散され、非放電領域のＭｇＯ保護膜５等に吸着される。これにより放電領域は浄化された状態となり、ＰＤＰの特性劣化や不安定な動作を抑えることができる。
【０００６】
従来のＡＣ型ＰＤＰのエージング装置は、特許文献１等に開示されているように、図３に示すような構成である。すなわち、ガラス基板に設けた表示電極間に交流電源で作られた交流電圧を印加して、全放電セル内で放電を生じさせることによって動作するようになっている。図３において、１１は直流電源、１２（１２ａ・１２ｂ・１２ｃ・１２ｄ）は直流電源１１をスイッチングすることにより交流を作り出すトランジスタ等のスイッチング素子、１３は図４に示すようなスイッチング素子１２の制御信号Ｓ１〜Ｓ４を作り出す制御回路、１４は４個のスイッチング素子１２と制御回路１３とからなる交流電源、１５はエージング対象であるＰＤＰ、１６ａ・１６ｂはＰＤＰ１５の表示電極に電圧を印加するためのクランプ、１７は交流回路１４とＰＤＰ１５との間に入れられたコイル、１８は交流電源１４とクランプ１６とコイル１７とが設置され、ＰＤＰ１５を搬送してエージングするためのエージング用パレット、１９ａ・１９ｂはパレット１８上の交流電源１４に直流を供給するためのコンタクトである。コイル１７によりＰＤＰ１５の２つの表面電極間に、図５に示すような電圧が印加され、直流電源１１の出力電圧を高くせずにＰＤＰ１５の放電状態を均一にすることができ、エージングが促進されるように構成されている。
【０００７】
【特許文献１】
特開平７−２２６１６２号公報
【０００８】
【発明が解決しようとする課題】
しかしながら、前記従来構成のエージング装置では、ＰＤＰ１５の機種が変わるなどして電気特性が変わると、コイル１７を交換する必要がある。また、ＰＤＰ１５と交流電源１４との距離を離すことができないため、パレット１８に交流電源１４を内蔵させなければならず、交流電源１４がＰＤＰ１５の発熱の影響を受けるので、回路の熱対策が必要となる。また、上述したように、交流電源１４とＰＤＰ１５との間の配線を長くできないとともに機種によってコイル１７を交換する必要があるために、機種ごとにパレット１８を作る必要があるなど設備価格が高くなるという課題も有していた。
【０００９】
本発明は、前記従来の課題を解決するもので、交流電源に対する熱対策も容易で、設備価格を低減させることができるプラズマディスプレイパネルのエージング装置を提供することを目的とする。
【００１０】
【課題を解決するための手段】
上記課題を解決するために、本発明のプラズマディスプレイパネルのエージング装置は、コイルの替わりに電線を長くして同等のインダクタンスを得るようにし、エージング用パレットに、プラズマディスプレイパネルの電極に交流電源の出力電圧を印加するクランプと、前記交流電源とパレットとを電気的に接続するコンタクトと、そのコンタクトと前記クランプとを直接接続する電線とを有せしめたものである。
【００１１】
この構成により、交流電源とパレットとを分離できて、パレットにおいて交流電源に対する熱対策が不要となるとともに、クランプ、コンタクト、電線を一体で交換できるため、エージング性能を損なうことなく機種に応じた切り替えができ、製造価格を低減できるとともに、保管スペースとが削減可能となる。
【００１２】
【発明の実施の形態】
以下、本発明の実施の形態について、図面を参照しながら説明する。
【００１３】
図１は、本発明の実施の形態におけるＰＤＰ（プラズマディスプレイパネル）のエージング装置の構成を示す図である。なお、図３に示す従来のエージング装置と同様な動作をする構成要素については同じ符号を用い、説明を省略する。
【００１４】
図１に示すように、このＰＤＰのエージング装置においては、従来設けられていたコイル１７（図３参照）の代わりに、電線２０ａ・２０ｂを長くして同等のインダクタンスを得るようにしている。また、クランプ１６ａ・１６ｂおよびコンタクト１９ａ・１９ｂ自体は従来と同じ構造であるが、クランプ１６ａ・１６ｂに接続された電線２０ａ・２０ｂの端部にコンタクト１９ａ・１９ｂが接続され、これらの、ＰＤＰ１５を取り付けるクランプ１６ａ・１６ｂ、電線２０ａ・２０ｂおよびコンタクト１９ａ・１９ｂだけがエージング用のパレット１８に設けられ、このパレット１８を、交流電源１４から一体で取り外し可能な構造としたものである。
【００１５】
かかる構成によれば、コイル１７を設けずに電線２０ａ・２０ｂとすることにより、交流電源１４とＰＤＰ１５との距離を離すことが可能となり、交流電源１４をパレット１８上に設置する必要が無くなり、パレット１８において交流電源１４に対する熱対策が不要となる。また電線２０ａ・２０ｂ、クランプ１６ａ・１６ｂ、コンタクト１９ａ・１９ｂを一体にして取り外し可能な構造にすることにより、機種切り替え時に必要なインダクタンスに合わせた電線２０ａ・２０ｂ、クランプ１６ａ・１６ｂ、コンタクト１９ａ・１９ｂごと入れ替えることができる。したがって、交流電源１４は共通化することができて、製造価格を低減できるとともに、パレット１８の保管スペースも少なくて済む。
【００１６】
なお、本実施の形態において、電線２０ａ・２０ｂ、クランプ１６ａ・１６ｂ、コンタクト１９ａ・１９ｂを一体とした構造としたが、電線２０ａ・２０ｂのみや電線２０ａ・２０ｂおよびクランプ１６ａ・１６ｂを一体として交換できるようにしてもよい。
【００１７】
【発明の効果】
以上のように、本発明のＰＤＰ用エージング装置によれば、コイルの替わりに配線を長くして同等のインダクタンスを得るようにし、エージング用パレットに、プラズマディスプレイパネルの電極に前記交流電源の出力電圧を印加するクランプと、前記交流電源とパレットとを電気的に接続するコンタクトと、そのコンタクトと前記クランプとを直接接続する電線とを有せしめたことにより、交流電源とパレットとを分離することができて交流電源の保守性が向上し、また、交流電源をＰＤＰと離すことにより温度の影響も削減することができ、ＰＤＰの大型化、大電力化に対応が可能となる。また、ＰＤＰの機種が増えた場合も電線、クランプ、コンタクトのみを機種分用意すればよくなり、設備価格削減、保管スペース削減が可能となる。
【図面の簡単な説明】
【図１】本発明の実施の形態におけるプラズマディスプレイパネルのエージング装置の構成を示す図
【図２】プラズマディスプレイパネルの斜視図
【図３】従来のプラズマディスプレイパネルのエージング装置の構成を示す図
【図４】スイッチング素子の制御信号のタイミング図
【図５】プラズマディスプレイパネルに印加される電圧波形
【符号の説明】
１１      直流電源
１２，１２ａ，１２ｂ，１２ｃ，１２ｄ  スイッチング素子
１３      制御回路
１４      交流電源
１５      ＰＤＰ（プラズマディスプレイパネル）
１６ａ，１６ｂ    クランプ
１８      エージング用パレット
１９ａ，１９ｂ    コンタクト
２０ａ，２０ｂ    電線
【図１】
2005011774.tif 000003
【図２】
2005011774.tif 000004
【図３】
2005011774.tif 000005
【図４】
2005011774.tif 000006
【図５】
2005011774.tif 000007